(57)【要約】【課題】各種電子機器の操作部等に使用される回転型電子部品に関し、中空部内に配される他の電子部品の位置ずれを防止し、電子機器の品位を向上させることを目的とする。【解決手段】ケース２１の中空部２１Ａを構成する円筒部２１Ｂの内周面の略中間高さ位置から中空部２１Ａの中心に向かって内側突出部２１Ｃが形成され、その内側突出部２１Ｃは、中空部２１Ａの上下方向に貫通する貫通部２１Ｄを有し、この貫通部２１Ｄの上下方向の軸心は、円筒部２１Ｂの軸心と同心に設けられている。【選択図】図１
2006310441.tif 000002
【特許請求の範囲】
【請求項１】
中空部を備えた略円環状の回転型電子部品であって、上記中空部内に設けられた位置決め手段で、上記中空部内に配される他の電子部品の位置決めがなされる構成とした回転型電子部品。
【請求項２】
第一筒部を有する絶縁樹脂製の第一筐体と、その第一筒部の外側に同心に位置する第二筒部を有する絶縁樹脂製の第二筐体とが、互いの筒部どうしを相対的に回転可能に係合されて構成されると共に、上記第一筐体の第一筒部には、その内周面から中空部としてなる内側に向かって内側突出部が一体に設けられ、その内側突出部が上記中空部内の位置決め手段とされた請求項１記載の回転型電子部品。
【請求項３】
内側突出部は、上下に貫通する貫通部を備え、その貫通部を介して他の電子部品の操作部分が回転操作可能に上方に突出した請求項２記載の回転型電子部品。
【請求項４】
内側突出部は、上下に貫通する貫通部を備え、その貫通部を介して他の電子部品の操作部分が側方へのスライド操作可能に上方に突出した請求項２記載の回転型電子部品。
【請求項５】
内側突出部に、他の電子部品を保持するための保持手段が設けられた請求項２記載の回転型電子部品。
【発明の詳細な説明】
【技術分野】
【０００１】
本発明は、各種電子機器の操作部等に用いられる回転型電子部品に関するものである。
【背景技術】
【０００２】
従来の回転型電子部品につき、回転型可変抵抗器を事例として図５〜図７を用いて説明する。
【０００３】
図５は従来の回転型可変抵抗器の断面図、図６は同分解斜視図、図７は同回転型可変抵抗器の実装状態を示す断面図である。
【０００４】
図５、図６において、１は中央部に中空部１Ａを有する略円環状の絶縁樹脂製のケースであり、その円環状部分は上方開口の凹部形状をなしていると共に、上記中空部１Ａを構成する壁は上方へ突出した円筒状の円筒部１Ｂに形成され、上記凹部内底面には略円環状の抵抗体２が配されている。
【０００５】
そして、このケース１の凹部内に配された抵抗体２の上面には、所定の抵抗部と導電部（共に図示せず）が備えられ、それら抵抗部と導電部の端部には、外方の電気回路に接続するための端子４が各々固着されている。各端子４の端部は上記ケース１の外方に導出されている。
【０００６】
そして、３は円筒状の操作部３Ａの下端にフランジ部３Ｂを有した絶縁樹脂製の操作体であり、上記ケース１の円筒部１Ｂの外周面に、操作部３Ａの内周面が嵌め合わされ、相対的に回転可能とされている。
【０００７】
また、上記操作体３のフランジ部３Ｂ下面には、先端部が上記抵抗体２の抵抗部と導電部上を摺接する弾性金属製の刷子５が固着されている。
【０００８】
そして、６は略円環状のケース１形状に合わせて略リング状に形成された薄板金属製のカバーであり、抵抗体２と操作体３のフランジ部３Ｂなどをケース１の凹部内に内包状態にするようにして上記凹部上に取り付けられている。その状態で、ケース１の円筒部１Ｂと操作体３の操作部３Ａは、カバー６における円形の中央孔６Ａから上方に突出している。
【０００９】
以上のように構成された従来の回転型可変抵抗器１０（回転型電子部品）は、操作体３の操作部３Ａを回転操作すると、操作体３がケース１の円筒部１Ｂに対して相対的に回転し、その回転に伴いフランジ部３Ｂ下面の刷子５が抵抗体２の抵抗部と導電部上を弾接しつつ摺動し、回転操作位置に応じた抵抗値が端子４から得られるものであった。
【００１０】
そして、その実装状態としては、使用する電子機器（図示せず）の配線基板上に上記回転型可変抵抗器１０を実装すると共に、その中空部１Ａ内に他の部品が実装されて使用されることが多い。
【００１１】
例えば、図７に示すように、他の部品として回転型エンコーダ１１が組み合わされる場合には、上記回転型可変抵抗器１０と回転操作の軸心が同心となるように中空部１Ａ内の配線基板７上の位置に回転型エンコーダ１１を配し、その回転型エンコーダ１１の本体１２から外方に導出された端子１３が配線基板７にはんだ付けされて構成される。この回転型エンコーダ１１としては、略矩形の本体１２上部に配された円筒状の軸受１４で上方に突出する操作軸１５が回転可能に保持され、その上方に突出した操作軸１５を回転操作することにより、本体１２内に構成された機能部品からの所定のパルス信号が端子１３から得られる構成のものである。
【００１２】
また、この場合の操作つまみは、回転型可変抵抗器１０の操作体３の操作部３Ａに、上方内側が円形凹状となった略円環状の外側つまみ１６が装着され、かつ、その外側操作つまみ１６の円形凹状部分に位置するように、回転型エンコーダ１１の操作軸１５に円形平板状の内側つまみ１７が装着されて同心二重の操作つまみ構造のものとされ、外側つまみ１６の回転操作で回転型可変抵抗器１０が操作でき、内側つまみ１７の回転操作で回転型エンコーダ１１が操作できるように構成されることが多かった。
【００１３】
なお、この出願の発明に関連する先行技術文献情報としては、例えば、特許文献１が知られている。
【特許文献１】特開２０００−１９５３７５号公報
【発明の開示】
【発明が解決しようとする課題】
【００１４】
しかしながら上記従来の回転型可変抵抗器１０（回転型電子部品）においては、図７に示すように、中空部１Ａ内に回転型エンコーダ１１（他の電子部品）を配置して、回転型可変抵抗器１０と回転型エンコーダ１１それぞれに外側つまみ１６と内側つまみ１７からなる操作つまみを取り付けて使用する場合、回転型エンコーダ１１を中空部１Ａ内に配置するに当たり、それぞれの回転軸心を合わすことが難しくて位置ずれが生じやすい。
【００１５】
このため、上記同心二重となった操作つまみ（外側つまみ１６と内側つまみ１７）が用いられる際は、上記位置ずれを吸収するために外側つまみ１６と内側つまみ１７との間に隙間を多く設ける必要があり、搭載される電子部品の品位が低下するという課題があった。
【００１６】
本発明は、このような従来の課題を解決するものであり、中空部内に配される他の電子部品の位置ずれを防止でき、搭載される電子機器の品位を向上させることができる回転型電子部品を提供することを目的とする。
【課題を解決するための手段】
【００１７】
上記目的を達成するために本発明は、以下の構成を有するものである。
【００１８】
本発明の請求項１に記載の発明は、中空部を備えた略円環状の回転型電子部品であって、上記中空部内に設けられた位置決め手段で、上記中空部内に配される他の電子部品の位置決めがなされる構成とした回転型電子部品としたものであり、中空部内の位置決め手段により、中空部内に配される他の電子部品の位置ずれを防止できるという作用を有する。
【００１９】
請求項２に記載の発明は、請求項１記載の発明において、第一筒部を有する絶縁樹脂製の第一筐体と、その第一筒部の外側に同心に位置する第二筒部を有する絶縁樹脂製の第二筐体とが、互いの筒部どうしを相対的に回転可能に係合されて構成されると共に、上記第一筐体の第一筒部には、その内周面から中空部としてなる内側に向かって内側突出部が一体に設けられ、その内側突出部が上記中空部内の位置決め手段とされたものであり、第一筒部の内周面に、位置決め手段としての内側突出部を一体に設けたので、構成部材点数を増加することなく、容易に中空部内に配される他の電子部品の位置決めができるという作用を有する。
【００２０】
請求項３に記載の発明は、請求項２記載の発明において、内側突出部は、上下に貫通する貫通部を備え、その貫通部を介して他の電子部品の操作部分が回転操作可能に上方に突出したものであり、中空部内に配される回転型電子部品を回転操作可能にして、位置決めができるという作用を有する。
【００２１】
請求項４に記載の発明は、請求項２記載の発明において、内側突出部は、上下に貫通する貫通部を備え、その貫通部を介して他の電子部品の操作部分が側方へのスライド操作可能に上方に突出したものであり、中空部内に配されるスライド型電子部品をスライド操作可能にして、位置決めができるという作用を有する。
【００２２】
請求項５に記載の発明は、請求項２記載の発明において、内側突出部に、他の電子部品を保持するための保持手段が設けられたものであり、中空部内に配される他の電子部品が回転操作、スライド操作などの各種操作がなされる際などに受ける加重に対し、当該保持手段が支えとなって上記他の電子部品の固定状態が維持されるため、その操作状態が滑らかで安定したものとなるという作用を有する。
【発明の効果】
【００２３】
以上のように本発明によれば、中空部内に設けられた位置決め手段で、上記中空部内に配される他の電子部品の位置決めがなされるため、他の電子部品の位置ずれを防止することができ、搭載される電子機器の品位を向上させることができる回転型電子部品を提供できるという有利な効果が得られる。
【発明を実施するための最良の形態】
【００２４】
以下、本発明の実施の形態について、図１〜図４を用いて説明する。
【００２５】
なお、従来の技術の項で説明した構成と同一構成の部分には同一符号を付して、詳細な説明を簡略化する。
【００２６】
（実施の形態）
図１は本発明の一実施の形態による回転型電子部品としての回転型可変抵抗器の断面図、図２は同分解斜視図、図３は同回転型可変抵抗器の実装状態を示す断面図である。
【００２７】
図１、図２において、２１は中央部が中空部２１Ａとなった略円環状の絶縁樹脂からなる第一筐体としてのケースであり、その円環状部分は上方開口の凹部形状をなしていると共に、上記中空部２１Ａを構成する壁は上方へ突出した円筒状の第一筒部としての円筒部２１Ｂに形成されている。そして、上記凹部内底面には、上面に抵抗部と導電部（共に図示せず）を備えた略円環状の抵抗体２が配され、その端部に接続された端子４はケース２１の外方に導出されている。
【００２８】
そして、３は円筒状の第二筒部としての操作部３Ａ下端にフランジ部３Ｂを有した絶縁樹脂からなる第二筐体としての操作体であり、上記ケース２１の円筒部２１Ｂの外周面に、操作部３Ａの内周面が回転可能に嵌め合わされている。また、そのフランジ部３Ｂ下面には、先端部が上記抵抗体２の抵抗部と導電部上を摺接する弾性金属製の刷子５が固着されている。
【００２９】
そして、ケース２１の凹部内に抵抗体２と操作体３のフランジ部３Ｂを内包状態とし、かつケース２１の円筒部２１Ｂと操作体３の操作部３Ａを中央孔６Ａから上方に突出させるようにして、ケース２１の凹部上面に薄板金属製のカバー６が取り付けられている。
【００３０】
上記構成に加え、本発明の実施の形態によるものは、上記ケース２１の中空部２１Ａを構成している円筒部２１Ｂの内周面の略中間高さ位置から中空部２１Ａの中心に向かって位置決め手段としての所定厚みの内側突出部２１Ｃがケース２１と同じ絶縁樹脂により一体形成されている。
【００３１】
この内側突出部２１Ｃは、上下方向に貫通する貫通部２１Ｄを中央位置に有して配設されており、この貫通部２１Ｄは、後述する回転型エンコーダ１１の形態に合う大きさ、形状で設けられ、その貫通部２１Ｄの上下方向の軸心は、円筒部２１Ｂの軸心と同心に設けられている。
【００３２】
以上のように構成された回転型可変抵抗器２０（回転型電子部品）は、操作体３の操作部３Ａを回転操作すると、操作体３がケース２１の円筒部２１Ｂに対して相対的に回転し、その回転に伴いフランジ部３Ｂ下面の刷子５が抵抗体２の抵抗部と導電部上を弾接しつつ摺動し、回転操作位置に応じた抵抗値が端子４から得られる。
【００３３】
そして、この回転型可変抵抗器２０の実装状態としては、図３に示すように、電子機器（図示せず）の配線基板７上に配され、その端子４がはんだ付けされて固着される。また、例えば同図に示したように、その中空部２１Ａ内の配線基板７上には、他の電子部品である回転型エンコーダ１１が配され、その端子１３は同じくはんだ付けされて固着される。
【００３４】
この回転型エンコーダ１１は、従来の技術の項で説明したものと同じものであり、略矩形の本体１２上部に配された円筒状の軸受１４で上方に突出した操作軸１５が回転可能に保持された構成をなし、この操作軸１５を回転操作することにより、本体１２内に構成された機能部品から所定のパルス信号が端子１３に導かれるものである。
【００３５】
また、２５は回転型可変抵抗器２０の操作体３の操作部３Ａに装着されている上方内側が円形凹状となった略円環状の外側つまみ、２６は回転型エンコーダ１１の操作軸１５に装着されている円形平板状の内側つまみであり、個々に回転操作可能なように、外側つまみ２５の円形凹状部分に内側つまみ２６が嵌まり込んで、同心二重の操作つまみの形態で装着されている。
【００３６】
そして、その外側つまみ２５を回転操作することにより、回転位置に応じて回転型可変抵抗器２０からの所望の抵抗値が端子４に接続された電子機器の電気回路（図示せず）へ出力され、内側つまみ２６を回転操作することにより、回転型エンコーダ１１からの所望のパルス信号が端子１３に接続された電子機器の電気回路へ同様に出力される。
【００３７】
そして、上記形態のものとする際、当該実施の形態による回転型可変抵抗器２０であれば、回転型エンコーダ１１を位置ずれ少なく配置することができる。つまり、回転型可変抵抗器２０における円筒部２１Ｂの内周面に設けられた内側突出部２１Ｃで、回転型エンコーダ１１の軸受１４位置が規制され、回転型エンコーダ１１の操作軸１５の回転軸心と回転型可変抵抗器２０の回転軸心とを、同心となるように位置決めして配置できるためである。また、このとき、回転型エンコーダ１１の操作軸１５は、内側突出部２１Ｃに設けられた貫通部２１Ｄを介して内側突出部２１Ｃの上方に突出されたものにできるので、操作軸１５への回転操作も支障なく行うことができる。
【００３８】
また、円筒部２１Ｂの内周面に内側突出部２１Ｃを一体に設けたので、構成部材点数を増加することなく、上述したように容易に中空部２１Ａ内に配される回転型エンコーダ１１の位置決めがなされたものにできる。
【００３９】
そして、回転型可変抵抗器２０の中空部２１Ａ内に設けられた内側突出部２１Ｃの貫通部２１Ｄの形状を、回転型エンコーダ１１を水平方向で保持可能なように、円筒状の軸受１４の外形に合わせた円形形状として軸受１４を保持させている構成としているため、当該部分は保持手段としても機能し、回転型エンコーダ１１を回転操作する際に加わる水平方向などへの加重に対する支えにもなって滑らかで確実に操作可能なものを容易に実現することができる。
【００４０】
また、図３に示したように、外側つまみ２５と内側つまみ２６とからなる二重構成の操作つまみを用いる場合にも、回転型可変抵抗器２０の中空部２１Ａに設けられた内側突出部２１Ｃにより回転型エンコーダ１１の位置決めおよび保持がなされているので、回転型エンコーダ１１の位置ずれが防止され、また操作時に受ける水平方向などへの加重に対してもずれの防止がなされるため、つまみ２５，２６同士が接触しないように設ける隙間を狭くすることが可能となり、使用される電子機器の品位を向上させることができる。
【００４１】
なお、図４に示すように、中空部２１Ａに配置される他の電子部品としてスライド型電子部品としても良い。
【００４２】
図４において、３０は中空部３１Ａを備えた略円環状の回転型可変抵抗器、４１はスライド型電子部品としてのスライド型スイッチであり、回転型可変抵抗器３０の操作部３Ａには、外側つまみ３２が取り付けられ、スライド型スイッチ４１の上方に突出した操作レバー４３には内側つまみ３３が取り付けられている。回転型可変抵抗器３０およびスライド型スイッチ４１の各端子４および４４は配線基板７にはんだ付けされている。
【００４３】
そして、回転型可変抵抗器３０は、上記中空部３１Ａを構成するケース３１の円筒部３１Ｂの内周面の略中間高さ位置から中空部３１Ａの中心に向かって内側突出部３１Ｃが突出形成されており、その中央部には、スライド型スイッチ４１の操作方向である水平方向に細長い貫通部３１Ｄが上下に貫通状態で設けられている。その長さとしては、操作レバー４３のスライド操作範囲より少し長めの細長孔とされ、この貫通部３１Ｄからスライド型スイッチ４１の操作レバー４３は上方に突出している。
【００４４】
また、この貫通部３１Ｄは、下方が大寸となる段部を有した形状に構成され、その段部から下方の内側端面でスライド型スイッチ４１の略直方体形状に構成された本体４２側面を当接保持している。
【００４５】
そして、上記構成のものは、スライド型スイッチ４１の操作方向に相当する図４の左右方向に内側つまみ３３をスライド操作すると、スライド型スイッチ４１の本体４２内部の図示していない機能部品からスイッチ信号が端子４４を介して得られ、その端子４４に接続された電子機器の電気回路に出力される。なお、回転型可変抵抗器３０の動作は、上述のものと同様であるので説明を省略する。
【００４６】
このとき、スライド型スイッチ４１は、本体４２側面が貫通部３１Ｄの段部から下方の内側端面で保持され、かつその段部より上方部分では上方への位置規制がなされているため、そのスライド操作により生じる加重に対して当該貫通部３１Ｄを構成する内側突出部３１Ｃが保持手段としても機能して当該保持手段が支えとなるため、そのスライド操作時に、スライド型スイッチ４１の固定状態が安定して維持され、滑らかで確実な操作性のものにできる。上記操作レバー４３を突出させている貫通部３１Ｄの段部から上方側の細長孔で操作レバー４３が操作方向に案内されるようにその幅設定をすればさらに操作性が向上したものにできる。
【００４７】
なお、上記中空部２１Ａ，３１Ａ内に配置される他の電子部品１１，４１を保持する内側突出部２１Ｃ，３１Ｃの位置は、その電子部品１１，４１の動かない箇所であればどの位置でも良いが、操作時に受ける加重に対するモーメントを考慮すると、配線基板７にはんだ付けなどで固定される位置から遠い位置とする方が好ましい。
【００４８】
また、上記には回転型可変抵抗器２０，３０の事例を用いて説明したが、本発明は中空部を有する回転型エンコーダや回転型スイッチなどの回転型電子部品全般に適用可能なものである。さらに、その中空部２１Ａ，３１Ａ内に配置される他の電子部品も上記に説明したものに限定されることはない。
【００４９】
また、上記のように内側突出部２１Ｃ，３１Ｃをケース２１，３１と一体形成したものとすると少ない部品点数で高い位置決め精度のものにでき好ましいが、他の部材からなる位置決め部材を中空部内に配するものであってもよい。
【００５０】
さらに、上記には内側突出部２１Ｃ，３１Ｃに設けた貫通部２１Ｄ，３１Ｄが保持手段としても機能する構成のものを説明したが、保持手段としても上記以外の構成のものであってもよい。
【産業上の利用可能性】
【００５１】
本発明による回転型電子部品は、中空部内に設けられた位置決め手段で、上記中空部内に配される他の電子部品の位置決めがなされるため、他の電子部品の位置ずれを防止することができ、搭載される電子機器の品位を向上させることができるという特徴を有し、各種電子機器の操作部を構成する際等に有用である。
【図面の簡単な説明】
【００５２】
【図１】本発明の一実施の形態による回転型電子部品としての回転型可変抵抗器の断面図
【図２】同分解斜視図
【図３】同回転型可変抵抗器の実装状態を示す断面図
【図４】同回転型可変抵抗器の他の実装状態を示す断面図
【図５】従来の回転型可変抵抗器の断面図
【図６】同分解斜視図
【図７】同回転型可変抵抗器の他の実装状態を示す断面図
【符号の説明】
【００５３】
２  抵抗体
３  操作体
３Ａ  操作部
３Ｂ  フランジ部
４，１３，４４  端子
５  刷子
６  カバー
６Ａ  中央孔
７  配線基板
１１  回転型エンコーダ
１２，４２  本体
１４  軸受
１５  操作軸
２０，３０  回転型可変抵抗器
２１，３１  ケース
２１Ａ，３１Ａ  中空部
２１Ｂ，３１Ｂ  円筒部
２１Ｃ，３１Ｃ  内側突出部
２１Ｄ，３１Ｄ  貫通部
２５，３２  外側つまみ
２６，３３  内側つまみ
４１  スライド型スイッチ
４３  操作レバー
【図１】
2006310441.tif 000003
【図２】
2006310441.tif 000004
【図３】
2006310441.tif 000005
【図４】
2006310441.tif 000006
【図５】
2006310441.tif 000007
【図６】
2006310441.tif 000008
【図７】
2006310441.tif 000009